(57)【要約】【課題】  品目ボタンに対する品目、金額の割り当て変更に対応して品目ボタンに付される品目ラベルの変更を簡単に行うことのできる券売機を提案すること。【解決手段】  食券の券売機１は、筐体内部に配置されている制御ユニット１８の操作部１６に、登録ボタン３３および変更ボタン３４に加えて印刷ボタン３５を備えている。印刷ボタン３５を操作すると、品目ラベル作成モードに切り替わり、品目ボタンに割り当てられている番号を操作部１６のテンキー３６を介して入力すると、対応テーブル３１が検索されて、当該番号に割り当てられている品目および金額が出力され、内蔵のプリンタ２０によって、記録紙２２ａにそれらが印刷され、オートカッタ２１によって切断されて、品目ラベル６が作成される。品目ラベル６の変更を内蔵のプリンタ２０を用いて簡単に行うことができる。【選択図】  図３
2005310049.tif 000002
【特許請求の範囲】
【請求項１】
複数の品目ボタンおよび、各品目ボタンに割り当てられた品目および金額が印刷された品目ラベルを備え、各品目ラベルが対応する品目ボタンに着脱可能に取り付けられた操作盤と、
各品目ボタンに対する品目および金額の割り当て、および当該割り当ての変更を行う登録・変更手段と、
各品目ボタンに割り当てられた品目および金額を表す対応テーブルが記憶されている記憶部と、
プリンタと、
操作された前記品目ボタンに対応する品目および金額を前記対応テーブルから検索し、検索された品目および金額を前記プリンタにより印刷して品目チケットを作成する品目チケット作成手段と、
前記品目ボタンに割り当てられている品目および金額を前記プリンタにより印刷して前記品目ラベルを作成する品目ラベル作成手段とを有している券売機。
【請求項２】
各品目ボタンに、当該品目ボタンに割り当てられた品目および金額が印刷された品目ラベルを交換可能に取り付け、
前記品目ボタンが操作されると、内蔵プリンタにより、前記品目ラベルに印刷されている品目および金額を印刷して品目チケットを作成して発行し、
前記品目ボタンに割り当てた品目および／または金額を変更した場合に、前記内蔵プリンタを用いて、新たな品目および／または金額が印刷された新たな品目ラベルを作成し、
この新たな品目ラベルを前記品目ラベルと交換することを特徴とする券売機の品目ラベル更新方法。
【発明の詳細な説明】
【技術分野】
【０００１】
本発明は、操作盤に配列されている複数の品目ボタンの一つが操作されると、それに対応する食券などの品目チケットを発行する券売機に関するものである。更に詳しくは、各品目ボタンに割り当てた品目および金額が印刷された品目ラベルの変更あるいは更新を簡単に行うことのできる券売機および品目ラベル更新方法に関するものである。
【背景技術】
【０００２】
食券などの品目チケットの券売機は、一般に、その前面の操作盤に縦横に複数の品目選択用の品目ボタンが配列されており、各品目ボタンには、品目および金額が印刷された品目ラベルが貼り付け、あるいは装着されている。券購入者は、紙幣あるいは硬貨を投入して、希望する品目ラベルが付されている品目ボタンを操作することにより、品目チケットを購入することができる。各品目ボタンに付されている品目ラベルの作成は、券売機が設置される段階において、券売機の管理者、例えば食堂の場合には店主などが専門の業者に依頼して作成している。しかしながら、券売機の設置後においても、品目の変更、金額の変更が必要な場合があり、そのような場合に都度、専門の業者に作成を依頼することは面倒である。このため、食堂の店主などが手書きにより品目ラベルを作成して品目ボタンに貼り付けることが多い。これでは、印刷字体のラベルと手書きラベルが混在して見栄えが悪くなる。また、手作業により品目ラベルを作成することは面倒である。
【０００３】
品目ラベルを変更可能な券売機としては下記の特許文献１に開示されたものがあり、ここでは、品目ラベルに複数の品目を印刷しておき、バックライトの色を変えることにより、表に浮き出る品目を変更するようにしている。
【特許文献１】特開２００３−１６２７６３号公報
【発明の開示】
【発明が解決しようとする課題】
【０００４】
しかしながら、このような方法では、品目および金額の多様な変更に対応できず、また、品目ラベルの構造が特殊であり、製造コストも高くなってしまう。
【０００５】
本発明の課題は、コスト高を招くことなく、簡単に品目ラベルを変更可能な券売機、および券売機の品目ラベル更新方法を提案することにある。
【課題を解決するための手段】
【０００６】
上記の課題を解決するために、本発明の券売機は、
複数の品目ボタンおよび、各品目ボタンに割り当てられた品目および金額が印刷された品目ラベルを備え、各品目ラベルが対応する品目ボタンに着脱可能に取り付けられた操作盤と、
各品目ボタンに対する品目および金額の割り当て、および当該割り当ての変更を行う登録・変更手段と、
各品目ボタンに割り当てられた品目および金額を表す対応テーブルが記憶されている記憶部と、
プリンタと、
操作された前記品目ボタンに対応する品目および金額を前記対応テーブルから検索し、検索された品目および金額を前記プリンタにより印刷して品目チケットを作成する品目チケット作成手段と、
前記品目ボタンに割り当てられている品目および金額を前記プリンタにより印刷して前記品目ラベルを作成する品目ラベル作成手段とを有していることを特徴としている。
【０００７】
次に、本発明の券売機の品目ラベル更新方法は、
各品目ボタンに、当該品目ボタンに割り当てられた品目および金額が印刷された品目ラベルを交換可能に取り付け、
前記品目ボタンが操作されると、内蔵プリンタにより、前記品目ラベルに印刷されている品目および金額を印刷して品目チケットを作成して発行し、
前記品目ボタンに割り当てた品目および／または金額を変更した場合に、前記内蔵プリンタを用いて、新たな品目および／または金額が印刷された新たな品目ラベルを作成し、
この新たな品目ラベルを前記品目ラベルと交換することを特徴としている。
【発明の効果】
【０００８】
本発明の券売機および更新方法では、品目ラベルを変更する場合に、品目チケットを作成するために内蔵されているプリンタを用いて品目ラベルを印刷している。品目チケットを印刷するための内蔵のプリンタをそのまま利用しているので、コスト高を招くことなく手書きなどに頼ることなく簡単に品目ラベルを作成できる。
【発明を実施するための最良の形態】
【０００９】
以下に、図面を参照して本発明を適用した食券の券売機の一例を説明する。
【００１０】
図１は本例の券売機を示す外観斜視図である。この図に示すように、券売機１は、縦長の直方体形状の筐体２を備え、その前面が一方の側端を中心として開閉可能な開閉扉３とされている。開閉扉３の前面部分には、縦横に長方形の品目ボタン４が３０個配列された操作盤５が取り付けられている。各品目ボタン４は、上半部分に長方形の品目ラベル６を挿入するための挿入部が形成されており、ここに品目ラベル６が交換可能な状態で挿入されている。また、下半部分はボタン本体となっており、前方に僅かに突出しており、ここを押すと、品目ボタン４に割り当てられているボタン番号を表す選択信号が発生するようになっている。各品目ボタン４にはバックライト（図示せず）が配置されており、各品目ボタン４が見易くなっている。
【００１１】
操作盤５の上側には、紙幣挿入口７、プリペイドカードの挿入口８、硬貨投入口９および返却レバー１０が配置されている。また、操作盤５の下側には、券および釣銭の受け取り口１１および釣銭払い出し用の釣銭スイッチ１２が配置されている。
【００１２】
図２は開閉扉３を開けた状態で券売機を示す斜視図である。券売機１の筐体２の内部の上側部分には、紙幣識別機１３、カードリーダライタ１４、硬貨処理機１５が配置されている。これらにより、投入された紙幣、プリペイドカード、および硬貨による入金処理が行われる。筐体２の内部の下側部分には、操作部１６および表示部１７を備えた制御ユニット１８と、ロール紙収納部１９と、プリンタ２０と、オートカッタ２１が配置されている。ロール紙収納部１９に収納されるロール紙２２から繰り出されるテープ状の記録紙２２ａにプリンタ２０によって品目および金額が印刷され、オートカッタ２１によって所定の長さに切断されて、品目チケット２３が発行される。
【００１３】
図３は、券売機１の制御系を示す概略構成図である。制御ユニット１８はマイクロコンピュータを中心に構成され、ＣＰＵ、ＲＯＭおよびＲＡＭを備えており、ＲＯＭ内に格納されている制御プログラムを実行することにより、品目チケット発行手段として機能する。また、各品目ボタン４に対して品目および金額を割り当てる登録手段および、割り当てられている品目および／または金額を変更する変更手段として機能する。更には、プリンタ２０を用いて品目ラベルを作成する品目ラベル作成手段として機能する。
【００１４】
制御ユニット１８には、各品目ボタン４の番号と、品目および金額とが対応付けされた対応テーブル３１が記憶保持された記憶部３２が接続されている。操作盤５に配列されている品目ボタン４が操作されると、操作された品目ボタン４に割り当てられているボタン番号が制御ユニット１８に入力される。制御ユニット１８は、紙幣識別機、硬貨処理機あるいはカードリーダライタ１４から必要額の入金が投入されたことを確認すると、ボタン番号から対応テーブル３１を検索して、操作された品目ボタン４に割り当てられている品目および金額情報を検索出力する。そして、プリンタ２０を駆動して、品目および金額を搬送される記録紙２２ａに印刷し、オートカッタ２１を駆動して印刷後の記録紙部分を幅方向に切断して、品目チケット２３を作成する。作成された品目チケット２３は券受け取り口１１から購入者に発行される。
【００１５】
また、制御ユニット１８の操作部１６には、登録ボタン３３、変更ボタン３４、印刷ボタン３５、テンキー３６などが配列されており、登録ボタン３３を操作すると、登録モードに切り替わり、各品目ボタン４に、品目および金額を割り当てることが可能になる。割り当て内容は対応テーブル３１に保持される。変更ボタン３４を操作すると割り当て内容の変更モードに切り替わり、対応関係を変更することができ、変更内容に従って対応テーブル３１が更新される。さらに、印刷ボタン３５を操作すると品目ラベル作成モードに切り替わり、内蔵のプリンタ２０を用いて品目ラベル６を作成することが可能になる。
【００１６】
図４は、本例の券売機１における登録・変更モードおよび品目ラベル作成モードにおける動作概要を示す概略フローチャートである。このフローチャートに従って説明すると、券売機１の管理者などによって開閉扉３が開けられ、制御ユニット１８の操作部１６に配置されている登録ボタン３３が操作されると（ステップＳＴ１）、制御ユニット１８が登録モードに切り替わる。このモードでは、品目ボタンの番号、品目および金額を順次にテンキー３６などを用いて入力し（ステップＳＴ２、３、４）、入力内容が確認されると（ステップＳＴ５）、各品目ボタンに対して、品目および金額を割り当て、これを登録することができる（ステップＳＴ６）。これにより、対応テーブル３１が作成される。
【００１７】
変更ボタン３４が操作されると（ステップＳＴ７）、制御ユニット１８が変更モードに切り替わる。このモードでは、品目ボタンの番号を指定し（ステップＳＴ８）、品目および金額を入力して（ステップＳＴ９、１０）、入力内容が確認されると（ステップＳＴ１１）、指定された品目ボタンに割り当てられている品目および／または金額を変更できる（ステップＳＴ１２）。変更内容に基づき、対応テーブル３１が更新される。
【００１８】
次に、印刷ボタン３５が操作されると（ステップＳＴ１３）、制御ユニット１８が品目ラベル作成モードに切り替わる。このモードにおいて、品目ボタンの番号を入力すると（ステップＳＴ１４）、当該番号に割り当てられている品目および金額が、内蔵のプリンタ２０によって記録紙２２ａに印刷され（ステップＳＴ１５）、所定の長さに切断されて（ステップＳＴ１６）、品目ラベル６が作成される。
【００１９】
なお、図４のフローにおいて、各ボタン３３〜３５の操作の後において、各入力が一定時間の間に行われないと、割り込みが掛かり、各モードが解除されるようになっている。
【００２０】
ここで、品目ラベル６の作成に当っては、品目チケット２３と同一のロール紙２２を用いることができる。また、品目ラベル６の長さがロール紙２２の幅よりも狭い場合には、例えば図５に示すように、ロール紙２２の代わりに品目ラベル６の長さに対応する幅の位置にミシン目２４ａの付いたロール紙２４をロール紙収納部１９に収納して印刷を行い、ミシン目２４ａに沿って不要部分を切り取ると、所定幅の品目ラベル６が得られる。勿論、狭い幅のロール紙を装着して品目ラベル６を作成してもよい。
【００２１】
なお、本例は食券の券売機に本発明を適用した例であるが、食券以外の各種商品の券売機に本発明を同様に適用できることは勿論である。また、プリンタ２０は、サーマルプリンタ、ドットインパクトプリンタ、インクジェットプリンタなどの各種のものを用いることができる。
【図面の簡単な説明】
【００２２】
【図１】本発明を適用した券売機の一例を示す外観斜視図である。
【図２】図１の券売機の内部を示す斜視図である。
【図３】図１の券売機の制御系を示す概略構成図である。
【図４】図１の券売機の動作を示す概略フローチャートである。
【図５】品目ラベルの一例を示す説明図である。
【符号の説明】
【００２３】
１  券売機
２  筐体
３  開閉扉
４  品目ボタン
５  操作盤
６  品目ラベル
１６  操作部
１８  制御ユニット
１９  ロール紙収納部
２０  プリンタ
２１  オートカッタ
２２  ロール紙
２２ａ  記録紙
２３  品目チケット
３１  対応テーブル
３２  記憶部
３３  登録ボタン
３４  変更ボタン
３５  印刷ボタン
３６  テンキー
【図１】
2005310049.tif 000003
【図２】
2005310049.tif 000004
【図３】
2005310049.tif 000005
【図４】
2005310049.tif 000006
【図５】
2005310049.tif 000007